(57)【要約】【課題】リアクションの候補が切り替えられた直後でも、切り替えられる前のリアクションの候補を選択することができるリアクション選択装置を提供する。【解決手段】リアクション候補記憶部６５は所定の時間ごとに切り替えられるリアクションの候補を記憶する。リアクション候補更新制御部６６は、新たなリアクションの候補を記憶させ、既に記憶されているリアクションの候補を所定の時間経過後に消去するよう、リアクション候補記憶部６５に記憶されるリアクションの候補を更新する。リアクション候補表示制御部６８は、リアクション候補記憶部６５に記憶されているリアクションの候補を表示部６４に表示するよう制御する。リアクション投稿制御部６９は、表示部６４に表示されるリアクションの候補のいずれかが選択されて投稿が指示されたときに、リアクション候補記憶部６５に記憶されている選択されたリアクションの候補を投稿するよう制御する。【選択図】図３
2018157465.tif 000002
【特許請求の範囲】
【請求項１】
動画の進行に伴って所定の時間ごとに切り替えられる、前記動画に対して投稿するためのリアクションの候補を記憶するリアクション候補記憶部と、
前記リアクション候補記憶部に既に記憶されているリアクションの候補から新たなリアクションの候補へと切り替えられたとき、前記新たなリアクションの候補を前記リアクション候補記憶部に記憶させ、前記既に記憶されているリアクションの候補を、前記新たなリアクションの候補へと切り替えられた時点から所定の時間経過後に消去するよう、前記リアクション候補記憶部に記憶されるリアクションの候補を更新するよう制御するリアクション候補更新制御部と、
前記リアクション候補記憶部に記憶されているリアクションの候補を表示部に表示するよう制御するリアクション候補表示制御部と、
前記表示部に表示されるリアクションの候補のいずれかが選択されて投稿が指示されたときに、前記リアクション候補記憶部に記憶されている選択されたリアクションの候補を投稿するよう制御するリアクション投稿制御部と、
を備えることを特徴とするリアクション選択装置。
【請求項２】
クライアント端末が前記リアクション選択装置を備え、
リアクションの候補は前記動画の内容の変化に対応するように前記クライアント端末の外部で作成され、
前記外部で作成されたリアクションの候補を、ネットワークを介して受信する通信部をさらに備えることを特徴とする請求項１に記載のリアクション選択装置。
【請求項３】
前記リアクションは、前記動画に重畳して表示されるコメントであることを特徴とする請求項１または２に記載のリアクション選択装置。
【請求項４】
リアクション候補記憶部が、動画の進行に伴って所定の時間ごとに切り替えられる、前記動画に対して投稿するためのリアクションの候補を記憶し、
リアクション候補更新制御部が、前記リアクション候補記憶部に既に記憶されているリアクションの候補から新たなリアクションの候補へと切り替えられたとき、前記新たなリアクションの候補を前記リアクション候補記憶部に記憶させ、前記既に記憶されているリアクションの候補を、前記新たなリアクションの候補へと切り替えられた時点から所定の時間経過後に消去するよう、前記リアクション候補記憶部に記憶されるリアクションの候補を更新するよう制御し、
リアクション候補表示制御部が、前記リアクション候補記憶部に記憶されているリアクションの候補を表示部に表示するよう制御し、
リアクション投稿制御部が、前記表示部に表示されるリアクションの候補のいずれかが選択されて投稿が指示されたときに、前記リアクション候補記憶部に記憶されている選択されたリアクションの候補を投稿するよう制御する
ことを特徴とするリアクション選択方法。
【請求項５】
通信部が、前記動画の内容の変化に対応するように作成されたリアクションの候補を、ネットワークを介して受信することを特徴とする請求項４に記載のリアクション選択方法。
【請求項６】
前記リアクションは、前記動画に重畳して表示されるコメントであることを特徴とする請求項４または５に記載のリアクション選択方法。
【請求項７】
コンピュータに、
動画の進行に伴って所定の時間ごとに切り替えられる、前記動画に対して投稿するためのリアクションの候補を記憶部に記憶するステップと、
前記記憶部に既に記憶されているリアクションの候補から新たなリアクションの候補へと切り替えられたとき、前記新たなリアクションの候補を前記記憶部に記憶し、前記既に記憶されているリアクションの候補を、前記新たなリアクションの候補へと切り替えられた時点から所定の時間経過後に消去するよう、前記記憶部に記憶されるリアクションの候補を更新するステップと、
前記記憶部に記憶されているリアクションの候補を表示部に表示するステップと、
前記表示部に表示されるリアクションの候補のいずれかが選択されて投稿が指示されたときに、前記記憶部に記憶されている選択されたリアクションの候補を投稿するステップと、
を実行させることを特徴とするリアクション選択プログラム。
【請求項８】
コンピュータに、前記動画の内容の変化に対応するように作成されたリアクションの候補を、ネットワークを介して受信するステップをさらに実行させることを特徴とする請求項７に記載のリアクション選択プログラム。
【請求項９】
前記リアクションは、前記動画に重畳して表示されるコメントであることを特徴とする請求項７または８に記載のリアクション選択プログラム。
【発明の詳細な説明】
【技術分野】
【０００１】
本発明は、動画に対するコメント等のリアクションを選択するリアクション選択装置、リアクション選択方法、リアクション選択プログラムに関する。
【背景技術】
【０００２】
パーソナルコンピュータ、タブレット端末、スマートフォン等の携帯端末、テレビジョン受信機、ゲーム機等の各種の画像表示装置に、動画をストリーミング配信する動画提供サービスが普及している。動画提供サービスは、動画の視聴者が、視聴している動画に対するリアクションの一例として、動画の感想等のコメントを投稿できるサービスを提供している。
【０００３】
動画提供サービスは、視聴者の所有する画像表示装置に、動画と複数の視聴者から投稿されたコメントとを配信する。画像表示装置は、配信された動画にコメントを重畳して表示する。視聴者は、動画を見ながらコメントも楽しむことができる。
【先行技術文献】
【特許文献】
【０００４】
【特許文献１】特開２０１３−２２９８７３号公報
【発明の概要】
【発明が解決しようとする課題】
【０００５】
パーソナルコンピュータ、タブレット端末、スマートフォンは、キーボート（ソフトウェアキーボードを含む、以下同様）を有するので、視聴者がコメントの文章を入力して投稿することは比較的簡単である。テレビジョン受信機またはゲーム機のようにリモートコントローラしか備えておらず、キーボートを備えていない画像表示装置でコメントの文章を入力して投稿することは難しい。
【０００６】
そこで、特許文献１には、視聴者にコメントの候補となる選択肢を提示して、提示されたコメントを選択するだけで簡単にコメントを投稿することができる端末装置が記載されている。特許文献１には、再生中の動画の内容に対応させたコメントが選択できるよう、再生開始からの経過時間に応じたコメントの候補を提示することが記載されている。
【０００７】
ところが、視聴者が選択できるコメントの候補が動画の進行に伴って所定の時間ごとに切り替えられると、提示されたコメントの候補を見て、いずれかのコメントを選択して投稿しようとしたタイミングで、次のコメントの候補へと切り替わってしまうことがある。次のコメントの候補が選択して投稿しようとしたコメントを含まない場合には、視聴者はコメントを投稿することができない。
【０００８】
本発明は、視聴者が選択できるリアクションの候補が動画の進行に伴って所定の時間ごとに切り替えられるとき、リアクションの候補が次のリアクションの候補へと切り替えられた直後でも、切り替えられる前のリアクションの候補を選択することができるリアクション選択装置、リアクション選択方法、リアクション選択プログラムを提供することを目的とする。
【課題を解決するための手段】
【０００９】
本発明は、動画の進行に伴って所定の時間ごとに切り替えられる、前記動画に対して投稿するためのリアクションの候補を記憶するリアクション候補記憶部と、前記リアクション候補記憶部に既に記憶されているリアクションの候補から新たなリアクションの候補へと切り替えられたとき、前記新たなリアクションの候補を前記リアクション候補記憶部に記憶させ、前記既に記憶されているリアクションの候補を、前記新たなリアクションの候補へと切り替えられた時点から所定の時間経過後に消去するよう、前記リアクション候補記憶部に記憶されるリアクションの候補を更新するよう制御するリアクション候補更新制御部と、前記リアクション候補記憶部に記憶されているリアクションの候補を表示部に表示するよう制御するリアクション候補表示制御部と、前記表示部に表示されるリアクションの候補のいずれかが選択されて投稿が指示されたときに、前記リアクション候補記憶部に記憶されている選択されたリアクションの候補を投稿するよう制御するリアクション投稿制御部とを備えることを特徴とするリアクション選択装置を提供する。
【００１０】
本発明は、リアクション候補記憶部が、動画の進行に伴って所定の時間ごとに切り替えられる、前記動画に対して投稿するためのリアクションの候補を記憶し、リアクション候補更新制御部が、前記リアクション候補記憶部に既に記憶されているリアクションの候補から新たなリアクションの候補へと切り替えられたとき、前記新たなリアクションの候補を前記リアクション候補記憶部に記憶させ、前記既に記憶されているリアクションの候補を、前記新たなリアクションの候補へと切り替えられた時点から所定の時間経過後に消去するよう、前記リアクション候補記憶部に記憶されるリアクションの候補を更新するよう制御し、リアクション候補表示制御部が、前記リアクション候補記憶部に記憶されているリアクションの候補を表示部に表示するよう制御し、リアクション投稿制御部が、前記表示部に表示されるリアクションの候補のいずれかが選択されて投稿が指示されたときに、前記リアクション候補記憶部に記憶されている選択されたリアクションの候補を投稿するよう制御することを特徴とするリアクション選択方法を提供する。
【００１１】
本発明は、コンピュータに、動画の進行に伴って所定の時間ごとに切り替えられる、前記動画に対して投稿するためのリアクションの候補を記憶部に記憶するステップと、前記記憶部に既に記憶されているリアクションの候補から新たなリアクションの候補へと切り替えられたとき、前記新たなリアクションの候補を前記記憶部に記憶し、前記既に記憶されているリアクションの候補を、前記新たなリアクションの候補へと切り替えられた時点から所定の時間経過後に消去するよう、前記記憶部に記憶されるリアクションの候補を更新するステップと、前記記憶部に記憶されているリアクションの候補を表示部に表示するステップと、前記表示部に表示されるリアクションの候補のいずれかが選択されて投稿が指示されたときに、前記記憶部に記憶されている選択されたリアクションの候補を投稿するステップとを実行させることを特徴とするリアクション選択プログラムを提供する。
【発明の効果】
【００１２】
本発明のリアクション選択装置、リアクション選択方法、リアクション選択プログラムによれば、視聴者が選択できるリアクションの候補が動画の進行に伴って所定の時間ごとに切り替えられるとき、リアクションの候補が次のリアクションの候補へと切り替えられた直後でも、切り替えられる前のリアクションの候補を選択することができる。
【図面の簡単な説明】
【００１３】
【図１】動画提供サービスのシステム構成例を示すブロック図である。
【図２】図１のリアクション候補選択サーバが備えるリアクション候補選択部の構成例を示すブロック図である。
【図３】一実施形態のリアクション選択装置を備えるクライアント端末の構成例を示すブロック図である。
【図４】一実施形態のリアクション選択装置、リアクション選択方法、リアクション選択プログラムを説明するための図である。
【図５】クライアント端末の操作部の一例を示す平面図である。
【図６】クライアント端末の表示部に表示される動画及びコメントの候補の一例を示す図である。
【図７】動画の内容が切り替わった直後に、クライアント端末の表示部に表示される動画及びコメントの候補の一例を示す図である。
【図８】一実施形態のリアクション選択プログラムで実行される処理のうち、主としてリアクションの候補の更新処理を示すフローチャートである。
【図９】一実施形態のリアクション選択プログラムで実行される処理のうち、リアクションの候補を表示部に表示し、リアクションの候補のいずれかを選択して投稿する処理を示すフローチャートである。
【発明を実施するための形態】
【００１４】
以下、一実施形態のリアクション選択装置、リアクション選択方法、リアクション選択プログラムについて、添付図面を参照して説明する。
【００１５】
まず、図１を用いて、動画提供サービスの全体的なシステム構成例を説明する。図１において、ネットワーク１には、動画配信サーバ２、リアクション配信サーバ３、リアクション候補選択サーバ４が接続されている。リアクション候補選択サーバ４は、リアクション候補選択部４０を備える。ネットワーク１は、インターネットまたはその他の任意のネットワークである。
【００１６】
また、ネットワーク１には、クライアント端末５ａ〜５ｃ及び６が接続されている。クライアント端末５ａ〜５ｃは、パーソナルコンピュータ、タブレット端末、スマートフォンのようなキーボートを備えるクライアント端末であるとする。クライアント端末６は、テレビジョン受信機またはゲーム機のようなキーボートを備えないクライアント端末であるとする。ここではクライアント端末の数を合計４台としているが、実際にはクライアント端末はもっと多く、クライアント端末の数は任意である。
【００１７】
動画配信サーバ２は、ネットワーク１を介して、クライアント端末５ａ〜５ｃ及び６に動画を配信する。動画は予め作成されて録画されている動画であってもよいし、生放送の動画であってもよい。クライアント端末５ａ〜５ｃ及び６は動画を受信して、それぞれが備える表示部に動画を表示する。クライアント端末５ａ〜５ｃを所有する視聴者は、視聴している動画に対するリアクションの一例として、動画の感想等の文字列であるコメントを投稿する。クライアント端末６は、後述するようにして、コメントを投稿する。
【００１８】
リアクションはコメントに限定されない。リアクションは動画の感想等を概念的に示すマークであってもよい。リアクションはＵＲＬ情報であってもよく、音声情報であってもよい。
【００１９】
クライアント端末５ａ〜５ｃ及び６が投稿するコメントは、コメントの文字列に、動画のＩＤ、コメントが投稿された時刻、視聴者のユーザＩＤ、コメントの表示方法（表示位置等）が関連付けられて、リアクション配信サーバ３に送信される。録画されている動画の場合には、コメントの文字列にさらにコメントを表示させるタイミングを示す動画の再生開始時点からの再生時間が関連付けられる。
【００２０】
リアクション配信サーバ３は、動画のＩＤに関連付けられたコメントに、少なくともコメントの表示方法（録画されている動画の場合には表示方法に加えて再生時間）を加えて、クライアント端末５ａ〜５ｃ及び６に配信する。
【００２１】
リアクション候補選択サーバ４のリアクション候補選択部４０は、後述するようにリアクション（コメント）の候補を選択し、リアクション候補選択サーバ４はリアクションの候補をクライアント端末５ａ〜５ｃ及び６に配信する。
【００２２】
図２を用いて、リアクション候補選択部４０の構成例を説明する。録画されている動画には、動画を検索するためのタグ情報が関連付けられている。関連リアクション選択部４１は、動画のタグ情報に基づいて動画の内容に関連する関連リアクションを選択する。関連リアクション選択部４１は、予め複数のリアクションを保持しており、入力されたタグ情報に基づいて動画の内容に関連する関連リアクションを選択すればよい。関連リアクション選択部４１が選択した関連リアクションは、リアクション候補決定部４５に供給される。
【００２３】
リアクション記憶部４２には、リアクション配信サーバ３が配信するリアクション情報が入力される。リアクション記憶部４２は、順次入力されるリアクション情報を一時記憶し、所定時間経過後に記憶するリアクション情報を更新する。リアクション解析部４３は、リアクション記憶部４２に記憶されているリアクション情報を解析し、例えばリアクションが登場する頻度を求める。リアクション選択部４４は、例えば頻度の高い順から所定数のリアクションを選択して、リアクション候補決定部４５に供給する。
【００２４】
リアクション記憶部４２からリアクション選択部４４は、生放送の動画の内容に関連するリアクションを選択するのに好適である。生放送の動画にはタグ情報が関連付けられていないことが多く、リアクション記憶部４２からリアクション選択部４４は実際に投稿されているリアクションに基づいて候補となるリアクションを選択することができる。
【００２５】
リアクション候補決定部４５は、関連リアクション選択部４１から供給される関連リアクションと、リアクション選択部４４から供給されるリアクションとに基づいて、最終的にリアクションの候補を決定する。リアクション候補決定部４５は、録画されている動画のときに関連リアクション選択部４１から供給される関連リアクションを選択し、生放送の動画のときにリアクション選択部４４から供給されるリアクションを選択してもよい。
【００２６】
リアクション候補決定部４５は、録画されている動画であっても、関連リアクション選択部４１から供給される関連リアクションとリアクション選択部４４から供給されるリアクションとの双方に基づいて、終的にリアクションの候補を決定してもよい。リアクション候補選択部４０がどのようにリアクションの候補を決定するかは任意であり、以上説明した例に限定されるものではない。
【００２７】
次に、図３を用いて、クライアント端末６の構成例を説明する。クライアント端末６は、リアクション候補選択サーバ４が配信するリアクションの候補に基づいてリアクションを選択して投稿することができるように構成されている。
【００２８】
通信部６１は、動画配信サーバ２より配信された動画を受信する。動画再生制御部６２は受信した動画を所定時間バッファリングするメモリを備え、表示部６４に動画を表示するよう制御する。表示部６４は例えば液晶パネルである。通信部６１は、リアクション配信サーバ３より配信されたリアクションを受信する。リアクション表示制御部６３は、受信したリアクションを表示部６４に表示された動画に重畳して表示するよう制御する。
【００２９】
通信部６１は、リアクション候補選択サーバ４より配信されたリアクションの候補を受信し、リアクション候補記憶部６５に供給する。リアクション候補記憶部６５は例えばＲＡＭで構成することができ、入力されたリアクションの候補を記憶する。通信部６１は、新たなリアクションの候補を受信するたびに、リアクションの候補が切り替えられたことをリアクション候補更新制御部６６に知らせる。リアクション候補更新制御部６６は、後述するように、リアクション候補記憶部６５に記憶されているリアクションの候補を更新する。
【００３０】
操作部６７は、クライアント端末６の筐体に設けられている操作ボタンまたは筐体とは別体のリモートコントローラである。操作部６７によってリアクションの候補を表示部６４に表示する指示がなされると、リアクション候補表示制御部６８はリアクション候補記憶部６５に記憶されているリアクションの候補を読み出し、表示部６４に表示するよう制御する。
【００３１】
操作部６７によって表示部６４に表示されたリアクションの候補のいずれかを選択して投稿する指示がなされると、リアクション投稿制御部６９は、選択されたリアクションの候補をリアクション候補記憶部６５より読み出して、通信部６１を介して投稿するよう制御する。
【００３２】
少なくとも、リアクション候補記憶部６５、リアクション候補更新制御部６６、リアクション候補表示制御部６８、リアクション投稿制御部６９は、本実施形態のリアクション選択装置を構成する。
【００３３】
図４を用いて、リアクションの候補が動画の進行に伴って所定の時間ごとに切り替えられたとき、本実施形態のリアクション選択装置がどのように動作し、本実施形態のリアクション選択方法がどのような手順を実行するかについて説明する。
【００３４】
図４において、時刻ｔ１で配信が開始された動画は時刻ｔ３まで動画内容Ａであり、時刻ｔ３から時刻ｔ６まで動画内容Ｂであり、時刻ｔ６から動画内容Ｃであるとする。動画内容Ａ〜Ｃは、動画の内容が全く異なる別々のコンテンツであってもよいし、１つのコンテンツの動画であるが、ストーリの展開によって動画の内容が異なっていてもよい。
【００３５】
ここでは生放送の動画が配信されているとすると、リアクション候補選択サーバ４は時刻ｔ１から時刻ｔ２までの所定の時間でリアクションの候補を決定して、クライアント端末６に配信する。通信部６１は、時刻ｔ２で、リアクションの候補Ａ０１〜Ａ０５を受信する。リアクションの候補を５つとしているが、数は限定されない。リアクション候補記憶部６５は、受信したリアクションの候補Ａ０１〜Ａ０５を記憶する。
【００３６】
時刻ｔ３で動画内容Ｂに切り替わると、同様に、リアクション候補選択サーバ４は時刻ｔ３から時刻ｔ４までの所定の時間でリアクションの候補を決定して、クライアント端末６に配信する。通信部６１は、時刻ｔ４で、リアクションの候補Ｂ０１〜Ｂ０５を受信する。リアクション候補記憶部６５は、受信したリアクションの候補Ｂ０１〜Ｂ０５を記憶する。
【００３７】
時刻ｔ４で新たなリアクションの候補Ｂ０１〜Ｂ０５を受信しても、リアクション候補更新制御部６６は、既にリアクション候補記憶部６５に記憶されているリアクションの候補Ａ０１〜Ａ０５を時刻ｔ４で消去せず、所定の時間経過後の時刻ｔ５で消去する。即ち、時刻ｔ４から時刻ｔ５までの期間においては、リアクション候補記憶部６５には、リアクションの候補Ａ０１〜Ａ０５及びＢ０１〜Ｂ０５が記憶されている状態とされる。
【００３８】
さらに、時刻ｔ６で動画内容Ｃに切り替わると、同様に、リアクション候補選択サーバ４は時刻ｔ６から時刻ｔ７までの所定の時間でリアクションの候補を決定して、クライアント端末６に配信する。通信部６１は、時刻ｔ７で、リアクションの候補Ｃ０１〜Ｃ０５を受信する。リアクション候補記憶部６５は、受信したリアクションの候補Ｃ０１〜Ｃ０５を記憶する。
【００３９】
時刻ｔ７で新たなリアクションの候補Ｃ０１〜Ｃ０５を受信しても、リアクション候補更新制御部６６は、既にリアクション候補記憶部６５に記憶されているリアクションの候補Ｂ０１〜Ｂ０５を時刻ｔ７で消去せず、所定の時間経過後の時刻ｔ８で消去する。即ち、時刻ｔ７から時刻ｔ８までの期間においては、リアクション候補記憶部６５には、リアクションの候補Ｂ０１〜Ｂ０５及びＣ０１〜Ｃ０５が記憶されている状態とされる。
【００４０】
時刻ｔ４から時刻ｔ５までの期間、時刻ｔ７から時刻ｔ８までの期間である所定の時間は１〜３秒程度でよい。
【００４１】
リアクション候補更新制御部６６は、以上のようにしてリアクション候補記憶部６５に記憶されるリアクションの候補を更新する。よって、視聴者は、時刻ｔ２〜ｔ４においてはリアクションの候補Ａ０１〜Ａ０５のいずれかを選択することができ、時刻ｔ４〜ｔ５においてはリアクションの候補Ａ０１〜Ａ０５及びＢ０１〜Ｂ０５のいずれかを選択することができる。
【００４２】
また、視聴者は、時刻ｔ５〜ｔ７においてはリアクションの候補Ｂ０１〜Ｂ０５のいずれかを選択することができ、時刻ｔ７〜ｔ８においてはリアクションの候補Ｂ０１〜Ｂ０５及びＣ０１〜Ｃ０５のいずれかを選択することができる。
【００４３】
図４では、動画内容Ａ〜Ｃに対するリアクションの候補は全て異なっているが、一部で重複していてもよい。録画されている動画で、動画内容Ａ〜Ｃのそれぞれで予めリアクションの候補が決定されていてもよい。特許文献１に記載されている手法を用いて、動画の進行に伴って所定の時間ごとにリアクションの候補を決定してもよい。
【００４４】
操作部６７が一例としてリモートコントローラであり、図５に示す表示指示ボタン６７１を押下すると、リアクション候補表示制御部６８が表示部６４にリアクション候補記憶部６５に記憶されているリアクションの候補を表示するように構成されている。操作部６７はタッチパネルであってもよい。
【００４５】
視聴者が表示指示ボタン６７１を押下すると、リアクション候補表示制御部６８はリアクション候補記憶部６５からリアクションの候補を読み出して、図６に示すように、表示部６４にリアクションの候補リスト６４０を表示させる。表示指示ボタン６７１が押下されて一旦表示部６４に候補リスト６４０が表示されると、リアクション候補表示制御部６８はリアクション候補記憶部６５から継続的にリアクションの候補を読み出して、候補リスト６４０を表示させる動作を繰り返す。
【００４６】
図６において、動画には、リアクション表示制御部６３による制御によって、コメント６４１〜６４５が表示されている。なお、図６は、例えば、図５における時刻ｔ２〜ｔ４において表示指示ボタン６７１が押下された場合を示す。
【００４７】
視聴者は、上方向のカーソルキー６７２または下方向のカーソルキー６７３を押下することによって、候補リスト６４０の中からいずれかのリアクションの候補を選択することができる。太線で囲まれているリアクションの候補が選択されている状態である。候補リスト６４０が表示された時点で最上位に位置する候補が選択されている状態とされる。視聴者が決定ボタン６７６を押下すると、リアクション投稿制御部６９は、選択されたリアクションの候補をリアクション候補記憶部６５より読み出して、通信部６１を介して投稿するよう制御する。
【００４８】
視聴者がリアクションの候補を選択して決定ボタン６７６を押下しようとするタイミングが、図４における時刻ｔ４の直前であり、決定ボタン６７６を押下する前に時刻ｔ４を過ぎたとする。特許文献１に記載のような従来の技術においては、時刻ｔ４を過ぎた時点で時刻ｔ４までに記憶されている直前のリアクションの候補は消去されてしまい、図６において投稿しようとしたリアクションを投稿することはできない。
【００４９】
図７は、時刻ｔ４を過ぎた直後に、表示部６４に表示される候補リスト６４０を示している。上記のように、リアクション候補表示制御部６８はリアクション候補記憶部６５から継続的にリアクションの候補を読み出して、候補リスト６４０を表示させる動作を繰り返す。よって、図７に示すように、表示部６４には、時刻ｔ４以降で選択可能な候補リスト６４０１と時刻ｔ４以前で選択可能であった候補リスト６４０２とを含む候補リスト６４０が表示される。
【００５０】
視聴者は、時刻ｔ４を過ぎても上記の所定の時間の間は、直前の候補リスト６４０２の中からいずれかのリアクションの候補を選択して投稿することができる。図６から図７に候補リスト６４０が移行したとき、図６において選択されているリアクションの候補が図７においても継続的に選択されている状態とするのがよい。
【００５１】
リアクション候補表示制御部６８は、視聴者が決定ボタン６７６を押下してリアクションの投稿が完了したら候補リスト６４０の表示を解除してもよいし、図示していない表示解除ボタンが押下されたら候補リスト６４０の表示を解除してもよい。
【００５２】
図６及び図７に示す例においては、候補リスト６４０を動画に重畳させているが、動画と重ならないように、別のウィンドウに候補リスト６４０を表示してもよい。図６及び図７に示す例においては、リアクションの候補を縦に並べて候補リスト６４０としているが、候補の並べ方は任意である。
【００５３】
また、全ての候補を候補リスト６４０として一覧にする代わりに、少なくとも１つの候補を表示して、カーソルキー６７２あるいは６７３、または、左方向のカーソルキー６７４あるいは右方向のカーソルキー６７５によって表示する候補を順に送るようにしてもよい。
【００５４】
図３において、動画再生制御部６２、リアクション表示制御部６３、リアクション候補更新制御部６６、リアクション候補表示制御部６８、リアクション投稿制御部６９は、マイクロコンピュータの中央処理装置（ＣＰＵ）によって構成することができる。少なくとも、リアクション候補更新制御部６６、リアクション候補表示制御部６８、リアクション投稿制御部６９を、マイクロコンピュータ（ＣＰＵ）に実行させるコンピュータプログラム（リアクション選択プログラム）で構成することができる。
【００５５】
図８に示すフローチャートは、本実施形態のリアクション選択プログラムで実行される処理のうち、主として、リアクション候補更新制御部６６による制御処理に相当する、リアクション候補記憶部６５に記憶されるリアクションの候補の更新処理を示している。
【００５６】
リアクション選択プログラムは、ＣＰＵに、図８に示すステップＳ１〜Ｓ８の処理を実行させる。ＣＰＵは、ステップＳ１にて動画の受信を開始し、ステップＳ２にてリアクションの候補を受信する。ＣＰＵは、ステップＳ３にて、リアクションの候補をリアクション候補記憶部６５に記憶させる。
【００５７】
ＣＰＵは、ステップＳ４にて、新たなリアクションの候補を受信したか否かを判定する。新たなリアクションの候補を受信しなければ（NO）、ＣＰＵはステップＳ４の処理を繰り返す。新たなリアクションの候補を受信すれば（YES）、ＣＰＵは、ステップＳ５にて、新たなリアクションの候補をリアクション候補記憶部６５に記憶させる。
【００５８】
ＣＰＵは、ステップＳ６にて、所定時間が経過したか否かを判定する。所定時間が経過しなければ（NO）、ＣＰＵはステップＳ６の処理を繰り返す。所定時間が経過すれば（YES）、ＣＰＵは、ステップＳ７にて、リアクション候補記憶部６５に記憶されている直前のリアクションの候補を消去する。
【００５９】
ＣＰＵは、ステップＳ８にて、動画の受信が終了したか否かを判定し、動画の受信が終了しなければ（NO）、ＣＰＵは処理をステップＳ４に戻す。動画の受信が終了すれば（YES）、ＣＰＵは処理を終了させる。
【００６０】
図９に示すフローチャートは、本実施形態のリアクション選択プログラムで実行される処理のうち、リアクション候補表示制御部６８及びリアクション投稿制御部６９による制御処理に相当する、リアクションの候補を表示部６４に表示し、リアクションの候補のいずれかを選択して投稿する処理を示している。
【００６１】
リアクション選択プログラムは、ＣＰＵに、図９に示すステップＳ１１〜Ｓ１６の処理を実行させる。ＣＰＵは、ステップＳ１１にて、表示指示ボタン６７１が押下されたか否かを判定する。表示指示ボタン６７１が押下されなければ（NO）、ＣＰＵはステップＳ１１の処理を繰り返す。
【００６２】
表示指示ボタン６７１が押下されれば（YES）、ＣＰＵは、ステップＳ１２にて、リアクション候補記憶部６５からリアクションの候補を継続的に読み出して、表示部６４に表示させる。ＣＰＵは、ステップＳ１３にて、カーソルキー６７２または６７３の押下により、選択するリアクションの候補が変更されたか否かを判定する。選択するリアクションの候補が変更されなければ（NO）、ＣＰＵはステップＳ１３の処理を繰り返す。
【００６３】
選択するリアクションの候補が変更されれば（YES）、ＣＰＵは、ステップＳ１４にて、選択するリアクションの候補を変更する。ＣＰＵは、ステップＳ１５にて、決定ボタン６７６が押下されたか否かを判定する。決定ボタン６７６が押下されなければ（NO）、ＣＰＵは処理をステップＳ１３に戻す。
【００６４】
決定ボタン６７６が押下されれば（YES）、ＣＰＵは、ステップＳ１６にて、選択されたリアクションの候補を投稿して、処理を終了させる。
【００６５】
本実施形態のリアクション選択装置、リアクション選択方法、リアクション選択プログラムによれば、キーボートを備えないクライアント端末であっても簡単にリアクションを選択して投稿することができる。そこで、本実施形態においては、キーボートを備えないクライアント端末６に本実施形態のリアクション選択装置を搭載した構成を例としている。
【００６６】
しかしながら、キーボートを備えるクライアント端末５ａ〜５ｃであっても、本実施形態のリアクション選択装置を搭載することによって、簡単にリアクションを選択して投稿することができるという効果を奏することができる。いずれのクライアント端末であっても、本実施形態のリアクション選択プログラムをアプリケーションプログラムとしてダウンロードすれば、本実施形態のリアクション選択装置と等価の構成とすることができ、本実施形態のリアクション選択方法を実行させることができる。
【００６７】
本発明は以上説明した本実施形態に限定されるものではなく、本発明の要旨を逸脱しない範囲において種々変更可能である。リアクションの候補が動画の内容の変化に対応するようにクライアント端末５ａ〜５ｃ及び６の外部で作成される例を説明したが、リアクション候補選択サーバ４が備えるリアクション候補選択部４０の機能をクライアント端末５ａ〜５ｃ及び６が備えてもよい。
【符号の説明】
【００６８】
１  ネットワーク
２  動画配信サーバ
３  リアクション配信サーバ
４  リアクション候補選択サーバ
５ａ〜５ｃ，６  クライアント端末
４０  リアクション候補選択部
６１  通信部
６２  動画再生制御部
６３  リアクション表示制御部
６４  表示部
６５  リアクション候補記憶部
６６  リアクション候補更新制御部
６７  操作部
６８  リアクション候補表示制御部
６９  リアクション投稿制御部
【図１】
2018157465.tif 000003
【図２】
2018157465.tif 000004
【図３】
2018157465.tif 000005
【図４】
2018157465.tif 000006
【図５】
2018157465.tif 000007
【図６】
2018157465.tif 000008
【図７】
2018157465.tif 000009
【図８】
2018157465.tif 000010
【図９】
2018157465.tif 000011